(57)【特許請求の範囲】
【請求項１】
サッシ枠（１）を構成する下枠材（２）の内レール（２１）と外レール（２２）、及び下枠材（２）の室外側に設ける網戸レール（４３）の高さを、下枠材室内壁（２０）の上縁と同等高さにし、先端に横軸（４５）を有する連結手（４４）を網戸レール（４３）の室外側に突出形成し、横軸（４５）にベランダやバルコニー等のアプローチ（Ａ）まで達する架設材（５）を回動自在に取付けてあり、下枠材（２）に、内外レール（２１，２２）と同等高さまで達する室内用嵩上材（６Ａ）と室外用嵩上材（６Ｂ）の何れか一方を、室内用嵩上材（６Ａ）にあっては障子閉鎖状態での室外障子（Ｃ）の室内側位置に、室外用嵩上材（６Ｂ）にあっては障子閉鎖状態での室内障子（Ｂ）の室外側位置に取付けることを特徴とする敷居面フラットサッシ。
【請求項２】
サッシ枠（１）を構成する下枠材（２）の室外側に張出壁（２６）を突設し、該張出壁（２６）に網戸レール（４３）を有する補助材（４）を取付け、下枠材の内レール（２１）と外レール（２２）、及び網戸レール（４３）の高さを、下枠材室内壁（２０）の上縁と同等高さにし、先端に横軸（４５）を有する連結手（４４）を網戸レール（４３）の室外側に突出形成し、横軸（４５）にベランダやバルコニー等のアプローチ（Ａ）まで達する架設材（５）を回動自在に取付けてあり、少なくとも内外レール間（Ｈ）の略半幅を、内外レールと同等高さまで達する嵩上材（６）にて塞ぎ、車椅子（Ｒ）の出入りを容易にした敷居面フラットサッシ。
【発明の詳細な説明】
【０００１】
【発明の属する技術分野】
この発明は、車椅子の出入りが容易で、しかも雨水の排水を容易にした敷居面フラットサッシに関するものである。
【０００２】
【従来の技術】
従来のサッシ下枠材は、内側壁より室外に向けてレール支持壁を下降傾斜し、該支持壁に内レールと外レール、及び網戸レールを突設するか、レール支持壁を室外に向け階段状に下降し、階段状の支持壁にレールを突設するもので、内側壁をレールより高く形成し、下枠材より室内に雨水が吹き込まないようにされている。（例えば実開昭54-154542 号公報、実開昭60-19673号公報）躯体開口部にサッシ枠を取付け、開口部の室外側にサンルームやベランダ、或いはバルコニー等を付設し、室内よりバルコニー等のアプローチに出入りし得るようにしたものもある。
【０００３】
【発明が解決しようとする課題】
サッシ下枠材のレールは傾斜支持壁、或いは段状支持壁に突設され、しかもレール頂面と内側壁頂面に大きな段差があるため、身障者が車椅子を利用して出入りすることが著しく困難になる問題点があった。またレールの間隔は障子が開閉走行し得る広さに突設し、バルコニー等のアプローチと下枠材の間にも大きな隙間が生じるため、それらの隙間に車椅子の車輪が落ち込んでしまい、介助者により引き上げてもらわなければならない等の不都合があった。
【０００４】
サッシ下枠材の内側壁とレールの段差を少なくし、下枠材の上に渡り板を渡せば、車椅子でも出入りし得るが、段差を無くすると、下枠材に溜る雨水が室内側に吹き込み、飛散して室内を濡す問題点があった。
そこでこの発明は、従来技術の有するこのような問題点に鑑みてなされたものであり、その目的とするところは、車椅子の出入りを可能にした敷居面フラットサッシを提供することにある。
【０００５】
【問題を解決するための手段】
上記目的を達成するために、本発明の敷居面フラットサッシは、サッシ枠を構成する下枠材の内レールと外レール、及び下枠材の室外側に設ける網戸レールの高さを、下枠材室内壁の上縁と同等高さにし、網戸レールにベランダやバルコニー等のアプローチまで達する架設材を取付け得るようにし、少なくとも内外レール間の略半幅を、内外レールと同等高さまで達する嵩上材にて塞ぎ得るようにしたものである。
【０００６】
下枠材の室外側に網戸レールを一体に設けるか、下枠材の室外側に張出壁を突設し、該張出壁に網戸レールを有する補助材を取付け、網戸レールに架設材を上下揺動可能に連結することによって、下枠材とアプローチの段差を無くす一方、嵩上材を内外レール間より室内向きに取付ける室内用嵩上材と、内外レール間より室外向きに取付ける室外用嵩上材から形成し、両嵩上材を選択的に使用することによって、車椅子の車輪の落込みを無くし、車椅子の出入りを容易にしたものである。
【０００７】
【発明の実施の形態】
先ず敷居面フラットサッシの構造を図１乃至図３に基づき説明すると、軽金属材より押出し成形する上枠材（図示せず）と下枠材２、及び縦枠材３より構成するサッシ枠１に、例えば障子を片引き式に嵌挿するか、室内障子Ｂと室外障子Ｃを引き違い式に嵌挿するもので、サッシ枠１を建物の玄関や浴室、トイレ、ベランダ、或いはバルコニー等の出入口に取付け、下枠材２の室内側に床材Ｆを、下枠材２の室外側に出入口のアプローチＡを取付ける。
【０００８】
次に本発明による敷居面フラットサッシの実施形態を図３乃至図７に基づき説明すれば、サッシ下枠材２のレール支持壁２４に設ける内レール２１と外レール２２の高さを、下枠材室内壁２０の上縁、又は上縁より室内向きに突出する天板２５と略同等高さに形成する一方、外レール２２の室外側に、外レール２２と同等高さの網戸レール４３を設け、該網戸レール４３にベランダやバルコニー等のアプローチＡまで達する架設材５を取付け得るようにすると共に、少なくともレール間Ｈの略半幅を、内外レール２１，２２と同等高さまで達する嵩上材６にて塞ぎ、車椅子Ｒの出入りを容易にしたものである。
【０００９】
【実施例】
図４の下枠材２は、室内壁２０より室外側にレール支持壁２４を延長し、該支持壁２４に内レール２１と外レール２２、及び網戸レール４３を、下枠材室内壁２０の上縁と略同等高さに設け、内外レール２１，２２間の支持壁２４を室外側に向けて下降傾斜し、支持壁２４の下に垂下壁２７を、垂下壁２７より室外側に延長壁２８を設けるもので、内外レール間Ｈが、内レール２１より室内壁２０までの溝幅ｈの略２倍ある。
【００１０】
図５の下枠材２は、レール支持壁２４に内レール２１と外レール２２を、下枠材室内壁２０の上縁と略同等高さに設け、外レール２２より室外側に、外レール２２より低い室外突条２３を一体に設け、室内壁２０の上縁より室内側に天板２５を突設するものである。
図８の下枠材２は、レール支持壁２４に内レール２１と外レール２２を、下枠材室内壁２０の上縁と略同等高さに設け、垂下壁２７より室外側に張出壁２６を突設し、該延長壁２８の先部に室外突条２３を起立するものである。
【００１１】
網戸レール４３を一体に設ける下枠材２にあっては、網戸レール４３に直接補助材４を取付け、該補助材４の室外側に架設材５を取付けるものであるし、内レール２１より室外突条２３を低く形成する下枠材２にあっては、室外突条２３と張出壁２６の少なくとも一方を利用して、内レール２１と略同等高さまで達する網戸レール４３付きの補助材４を取付け、該補助材４の室外側に架設材５を取付けるものである。
【００１２】
網戸レール４３に取付ける補助材４は、図９（Ａ）の如く網戸レール４３に外接してビス止めする取付壁４１と、取付壁４１の上縁より室外向きに突出する連結手４４、及び連結手４４の先部に設ける横軸４５から形成する。室外突条２３に取付ける補助材４は、図９（Ｂ）の如く室外突条２３の上部に嵌挿してビス止めする取付壁４１と、取付壁４１より外レール２２と同等高さまで突出する網戸レール４３、網戸レール４３より室外向きに突出する連結手４４、及び連結手４４の先部に設ける横軸４５から形成する。
【００１３】
室外突条２３と張出壁２６を利用して取付ける補助材４は、図９（Ｃ）の如く下枠材２の張出壁２６にビス止めする取付壁４１と、取付壁４１より外レール２２と同等高さまで突出する網戸レール４３、網戸レール４３より室外向きに突出する連結手４４、連結手４４の先部に形成する横軸４５、取及び付壁４１より垂下し下枠材２の室外突条２３に係止する脚壁４２から形成するもので、網戸レール４３に排水孔４６を穿設する場合もある。
【００１４】
架設材５は図１０の如く、一方に補助材４の横軸４５に嵌合する弧状部５１を、他方にアプローチＡに重なる取付片５２を有するもので、掛渡幅Ｌに合わせて少なくとも２種類以上を形成しておく。架設材５の弧状部５１として採用し得る範囲は１８０〜２７０度、望ましい範囲は１８０〜２１０度、最適な範囲は１８０〜１９０度で、該弧状部５１を補助材４の横軸４５に嵌合するものであるから、横軸４５を中心にして上下方向に揺動可能となる。
【００１５】
嵩上材６は図６と図７の如く、下枠材２の上部に嵌挿する挿入部７に、少なくとも内外レール間Ｈの略半幅を塞ぐ載置部８を形成するもので、内外レール間Ｈより室内向きに取付ける室内用嵩上材６Ａと、内外レール間Ｈより室外向きに取付ける室外用嵩上材６Ｂに区分され、室内障子Ｂと室外障子Ｃを引き違い式に嵌挿するサッシ枠１において、例えば外動片引きとする場合、図３と図１に示すように、障子閉鎖状態での室内障子Ｂと縦枠材３の間、すなわち室外障子Ｃの室内側位置に室内用嵩上材６Ａを取付け、内動片引きする場合、図３と図２に示すように、障子閉鎖状態での室外障子Ｃと縦枠材３の間、すなわち室内障子Ｂの室外側位置に室外用嵩上材６Ｂを取付ける。
【００１６】
室内用嵩上材６Ａは図１１の如く、挿入部７を下枠材２の支持壁２４に載置する脚片７１と、該脚片７１より内レール２１に向けて突出し、内レール２１の下部に当接する内向振止片７２から形成せしめ、載置部８を脚片７１の上端より室内側に延長し、内レール２１の上方から天板２５の上まで達するものである。内向振止片７２の代わりに外レール２２の下部に圧接する外向振止片７３を突出することも可能であるし、載置部８の室内側に、内レール２１の室内側上部に係止する係止片８４と、該係止片８４より支持壁２４に圧接する内向傾斜片８５を設けることも可能である。
【００１７】
室外用嵩上材６Ｂは図１２の如く、挿入部７を下枠材２の支持壁２４に載置する脚片７１と、該脚片７１より内レール２１の下部に当接する内向振止片７２から形成し、載置部８を脚片７１の上端より外レール２２の上まで延長する外向片８１と、外向片８１より張出壁２６の外縁部に向けて延長し、張出壁２６の外縁部に圧接する外向傾斜片８２、及び外レール２２の室内側上部に係止する係止爪８３より形成する。脚片７１に内レール２１の下部に当接する内向振止片７２と、外レール２２の下部に圧接する外向振止片７３を突出すれば、外向傾斜片８２と係止爪８３を省略することも可能であるし、載置部８を補助材４の網戸レール４３まで延長することも可能である。
【００１８】
補助材４の連結手４４に設ける横軸４４と、嵩上材６に設ける弧状部５１を、図１３の如く反対に設けても同様の目的を達成する。下枠材２のレール間Ｈに嵩上材６を嵌挿し、室外側に補助材４を取付け、該補助材４を介してアプローチＡに架設材５を掛け渡すことにより、図１４の如く車椅子Ｒの走行が容易になる。補助材４と架設材５、及び嵩上材６は、サッシ枠１を構成する上下枠材１，２や縦枠材３と同様に、アルミニウム合金より押出し成形するものである。
【００１９】
【発明の効果】
本発明による敷居面フラットサッシは上記構造のとおりであるから、次に記載する効果を奏する。下枠材の内外レールが同等高さを成し、しかも下枠材の室外側にレールと同等高さの網戸レールを設け、該網戸レールより補助材を介してバルコニー等のアプローチに架設材を取付けるものであるから、下枠材の室内側に取付ける床板から室外側のアプローチまで段差を無くすることができる。
【００２０】
下枠材に対する補助材の取付けが容易であるし、補助材に対する架設材の連結手段も、補助材の連結手横軸に架設材の弧状部を嵌合し、横軸を中心にして上下方向に揺動可能となるものであるから、補助材の連結手とアプローチの間に多少の段差があっても、傾斜状態に取付け得る。しかも内外レール間に、内外レールと同等高さまで達する嵩上材を嵌挿し、該嵩上材にて内外レール間の少なくとも略半幅を塞ぐものであるから、室内側の床板から室外側のアプローチまで車椅子を出入りしても、車椅子の車輪が落ち込むことなく容易に出入りし得る。
【００２１】
内外レール間に嵌挿する嵩上材は、内外レール間より室内向きに取付ける室内用嵩上材と、内外レール間より室外向きに取付ける室外用嵩上材に区分されているので、両嵩上材をサッシの使用目的に応じて選択的に使用し得るし、両嵩上材は弾力を利用して下枠材に取付けるものであるから、簡単に着脱し得る。特に下枠材の天板まで載置部が達する嵩上材にあっては、一段と車椅子の出入りが容易になる。
【図面の簡単な説明】
【図１】本発明による敷居面フラットサッシの使用例を示す要部縦断面図である。
【図２】他の使用例を示す要部断面図である。
【図３】架設材の使用例を示すサッシの横断面図である。
【図４】補助材の取付例を示す側面図である。
【図５】補助材の取付例を示す側面図である。
【図６】架設材と室外用嵩上材の使用例を示す要部断面図である。
【図７】架設材と室内用嵩上材の使用例を示す要部断面図である。
【図８】下枠材の側面図である。
【図９】（Ａ）（Ｂ）（Ｃ）
補助材の形状例を示す断面図である。
【図１０】（Ａ）（Ｂ）
架設材の形状例を示す側面図である。
【図１１】（Ａ）（Ｂ）（Ｃ）（Ｄ）
室内用嵩上材の形状例を示す側面図である。
【図１２】（Ａ）（Ｂ）（Ｃ）（Ｄ）
室外用嵩上材の形状例を示す側面図と断面図である。
【図１３】補助材と架設材の連結手段を示す分解側面図である。
【図１４】使用例を示す斜視図である。
【符号の説明】
１  サッシ枠
２  下枠材
３  縦枠材
４  補助材
５  架設材
６，６Ａ，６Ｂ  嵩上材
７  嵩上材の挿入部
８  嵩上材の載置部
２０  内側壁、２１，２２ レール、２３
室外突条、２４ レール支持壁
２５  天板、２６ 張出壁、２７ 垂下壁、２８ 延長壁
４１  取付壁、４２ 脚壁、４３
網戸レール、４４ 連結手、４５ 横軸
Ｂ  室内障子、Ｃ 室外障子
Ａ  アプローチ
Ｆ  床材
Ｒ  車椅子、ｒ 車輪
Ｈ  内外レール間、Ｌ 掛渡幅
ｈ  内レールより室内壁までの溝幅
【図１】
0003579168.tif 000002
【図２】
0003579168.tif 000003
【図３】
0003579168.tif 000004
【図４】
0003579168.tif 000005
【図５】
0003579168.tif 000006
【図６】
0003579168.tif 000007
【図７】
0003579168.tif 000008
【図８】
0003579168.tif 000009
【図９】
0003579168.tif 000010
【図１０】
0003579168.tif 000011
【図１１】
0003579168.tif 000012
【図１２】
0003579168.tif 000013
【図１３】
0003579168.tif 000014
【図１４】
0003579168.tif 000015